(57)【要約】【課題】  電子機器におけるロック部からバッテリー室への水滴等の浸入を防止することができる、ロックするための機構を備える電子機器を提供する。【解決手段】  本発明の電子機器は、回動動作により本体にカバーをロック及びフリーにさせる突出部と、突出部の回動軸に対し直交方向に貫通した穴が形成された軸部とを有するロックレバーと、突出部の動作と連動して、カバーのロック及びフリー状態に保持する弾性突起部を有し、軸部に形成された穴に嵌挿されるイタバネとを具備したことを特徴とする。【選択図】  図４
2005129770.tif 000002
【特許請求の範囲】
【請求項１】
本体に形成した開口と、前記本体に着脱自在に取り付けられ、前記本体に取り付けられることにより前記開口を塞ぐカバーを備えた電子機器において、
回動動作により前記本体に前記カバーをロック及びフリーにさせる突出部と、前記突出部の回動軸に対し直交方向に貫通した穴が形成された軸部とを有するロックレバーと、
前記突出部の動作と連動して、前記カバーのロック及びフリー状態に保持する弾性突起部を有し、
前記軸部に形成された穴に嵌挿されるイタバネと
を具備したことを特徴とする電子機器。
【請求項２】
前記イタバネには、前記軸部に掛止されるストッパが形成されていることを特徴とする請求項１の電子機器。
【発明の詳細な説明】
【技術分野】
【０００１】
本発明は、電子機器の本体に対して、着脱自在に取り付けられるカバーを有し、そのカバーの取り付けをロックするための機構を備える電子機器に関する。
【背景技術】
【０００２】
本発明は、ＰＨＳ（Personal  Handyphone  System）端末を含む電子機器に関し、一般に、電子機器は、その両端に送話器（マイク）と受話器（スピーカー）が配置され、送話器と受話器との間に表示部および操作部が配置されている。
【０００３】
従来、バッテリを電源とする電子機器においては、本体の一部にバッテリ室を設け、このバッテリ室を覆うバッテリカバーを着脱することによりバッテリ室に収納されるバッテリの交換を行うように構成されている。または、本体にバッテリが取り付けられた、バッテリカバーを着脱することにより、バッテリの交換を行うように構成されている。
【０００４】
また、このようなバッテリを電源とする電子機器は、バッテリカバーが電子機器の本体から不用意に外れることがないように、バッテリーカバーと本体とをロックするためのロック機構を有している。
このロック機構について、例えば特許文献１では、バッテリからの電力供給により動作する電子機器であって、バッテリを収納するために電子機器の本体の一部に設けられたバッテリ室を覆うバッテリカバーと、本体とバッテリカバーとを係合するロック機構部とを備え、バッテリ室内に水等が侵入するのを防いでいる。
【特許文献１】特開２００１−１２７４５６号公報
【発明の開示】
【発明が解決しようとする課題】
【０００５】
しかしながら、上記に開示された技術では、ロック機構部の回動を阻止するロックスイッチ部材を設ける必要があり、ロック部の部品点数が多く、コストがかかってしまう。
また、バッテリ室からバッテリを取り出すためには、実際に操作者はロックスイッチ部材を解除する操作と、ロック機構部にあるロックつまみを回転させる操作との２操作が必要となり、バッテリ交換等が煩わしくなる。
また、ロック機構部の回動動作は、操作者がロックつまみを移動させる方向と、ロック機構が外れる方向と同方向のため、ロック機構部が破損しやすい。
また、操作者はロックつまみを持って回動操作を行うので、長年使っているうちに、つまみが折れるなどして、ロック機構部が操作不能になってしまう。
そこで、図１の従来のロックレバー取付け構造に示したように、ロックレバー機構部１１は、略筒型で且つその上面部に凹型のロックレバー溝３が設けられたロックレバー２、Ｏリング４を電子機器の本体１のロック部５に位置決めし、イタバネ７を取り付けたネジ穴１０が形成された回り止めリング８にネジ９を差し込み、ロックレバー２のネジ固定部１２でネジ９を固定することで、ロックレバー２が本体１に固定される構成となっている。
【０００６】
そして図２（ａ）のリアカバーのロック構造に示したように、ロックレバー２には、突出部１４が設けられ、ロックレバー溝３をＦＲＥＥの位置に合わせると、突出部１４はリアカバー６の側壁部の内面に刻設された凹部１３に嵌め込まれず、リアカバー６はフリー状態となり、またロックレバー溝３を時計回りに回転させてＬＯＣＫの位置に合わせると、突出部１４は凹部１３に嵌め込まれて、リアカバー６はロック状態となる。
しかし、このような従来技術では、可動しているロックレバー２をネジ９で固定している為、ネジ９の緩みが発生した場合、ネジ緩みによる水漏れが発生する。また、ロックレバー２を固定するための部品点数が多く、コストがかかってしまう。
【０００７】
本発明は、電子機器におけるロック部５からバッテリー室（図示省略）への水滴等の浸入を防止することを目的とする。
また、ロック部５の構成部品点数と材料費削減することを目的とする。
【課題を解決するための手段】
【０００８】
上記の目的を達成するための本発明の電子機器は、本体に形成した開口と、本体に着脱自在に取り付けられ、本体に取り付けられることにより開口を塞ぐカバーを備えた電子機器において、回動動作により本体にカバーをロック及びフリーにさせる突出部と、突出部の回動軸に対し直交方向に貫通した穴が形成された軸部とを有するロックレバーと、突出部の動作と連動して、カバーのロック及びフリー状態に保持する弾性突起部を有し、軸部に形成された穴に嵌挿されるイタバネとを具備する構成である。
またイタバネには、軸部に掛止されるストッパが形成されていることを特徴としている。
【発明の効果】
【０００９】
本発明は、電子機器の本体１とリアカバー６との間に介在してリアカバー６を取り付けた状態に保持するロックレバー２が、イタバネ、回り止めリング、及びネジの機能をもつ、ストッパ付きイタバネ３００によって構成されることを特徴とする。これにより、ロックレバーの緩み及びネジの緩みをなくし、本体１とリアカバー６とをロックするためのロックレバー２の隙間から水滴等の浸入を防ぎ、よって本体１及びリアカバー６にある電池パックの破損を防止することができる。
また、本発明によれば、構成部品点数と材料費の節減、組付けを簡単にし、コストダウンを図ることができる。
【００１０】
また、本発明によれば、本体１からリアカバー６を取り出したり、取り付けたりする操作を容易に行うことができ、電池パックの交換の煩わしさを軽減することができる。
【発明を実施するための最良の形態】
【００１１】
以下、本発明の実施例を図面を参照しながら詳細に説明する。
図３は、本発明の実施の形態に係る電子機器の構造を示す斜視図である。
図３に示したように、この電子機器は、本体１、リアカバー６、ロックレバー２、充電端子ピン１５、防水パッキン部１６、レール部１７を有して構成する。
【００１２】
本発明の電子機器としては、利用者が携帯することが可能な無線電子機器として、走行中の乗り物内などでも通話可能の一般的な携帯電話機に限らず、パーソナル・ハンディフォン・システム（ＰＨＳ）のような簡易型の電子機器、またデスクトップの電子機器も含まれる。
【００１３】
電子機器は、通信回路、送話部（マイク）、受話部（スピーカ）、表示部及び操作部（いずれも図示省略）などを有して構成される。具体的には、本体１の内部に通信回路が配設され、上端部に受話器が、下端部に送話器がそれぞれ設置され、当該受話器と送話器との間に表示部及び操作部が配置されている。なお、本発明の実施例中の電子機器の本体１は、少なくとも無線電話機として機能する構造を有する電子機器であれば、何ら限定されるものではない。
【００１４】
リアカバー６は、電子機器の本体１に対して着脱自在に取り付けられ、図３(ａ)に示したように、取り外した状態において、充電端子ピン１５、レール部１７が外部に露出する一方、図３(ｂ)に示したように、取り付けた状態において、本体１に設けられた該充電端子ピン１５、該レール部１７を覆い、本体１に設けられたロックレバー２が露出する構造を有するものであれば特に限定されない。また、このリアカバー６の端縁には、内方向に屈曲するレール部（図示省略）が設けられており、このレール部が本体１のレール部１７と係合し、この係合状態を保ちながら、リアカバー６は本体１に対して取り付けられる。なお、本発明の実施例中のリアカバー６は、本体１に対して取り付けられる構造のものであれば、何ら限定されるものではない。
【００１５】
ロックレバー２は、電子機器の本体１と、リアカバー６との間に介在して、リアカバー６を取り付けた状態に保持する機能を担う部材である。ロックレバー２は、本体１又はリアカバー６のいずれかに配設されていてもよいが、本実施の形態では、図３(ａ)に示したように、電子機器の本体１に配設されている。このロックレバー２は、凹型のロックレバー溝３を設けた略筒形の金属部材で、この円形の金属部材の一部に突出部１４があり、その突出部１４をリアカバー６の側壁部１８の内面に刻設された凹部１３に嵌め込むことでロックし、図３(ｂ)に示したように、リアカバー６を取り付けた状態に保持する。
【００１６】
また、リアカバー６を取り付けた状態で、ロックレバー２を例えば、利用者の手指などで回動操作することにより、ロックレバー２の突出部１４がリアカバー６の凹部１３から脱するので、ロックレバー２による電子機器の本体１とリアカバー６とのロック状態が解除される。なお、ロックレバー２は、開閉操作できるような形状であれば何ら限定されるものではない。
【００１７】
図４は、本発明の実施の形態に係るロックレバー取付け構造を示す斜視図を示している。
【００１８】
図４に示したように、イタバネを通す穴１００を有する、ロックレバー２、Ｏリング４を電子機器の本体１のロック部５にのせ位置決めし、ストッパ２００のついたイタバネ３００をロックレバー２のイタバネを通す穴１００にガタを無くすように嵌挿されることで、ロックレバー２が本体１に取り付けられる構成となっている。イタバネ３００には、抜け防止のためのストッパ２００が設けられている。
【００１９】
ロックレバー２は、回動軸に対して略直交する方向に、イタバネ３００が嵌挿される穴１００を有する軸部５００を構成し、軸部５００は平面部４００と曲面部６００より形成されている。また、一方の端部は断面視凹型のロックレバー溝を設けた略筒形に形成され、ロックレバー２の軸心に沿って回動可能に配設されている。かかるロックレバー２のイタバネを通す穴１００にストッパ２００のついたイタバネ３００が嵌挿され、イタバネ３００のストッパ２００がロックレバー２の軸部５００の、曲面部６００に接触して掛止されている。また、イタバネ３００の挿入部８００は、イタバネ３００に形成される押圧部７００が、ロックレバー２の軸部５００の平面部４００に面接触することによって、イタバネを通す穴１００の内壁に隙間なく固定される。
【００２０】
例えば利用者の手指などでロックレバー２を回動操作すると、ロックレバー２の突出部１４がリアカバー６の凹部１３にロック及びフリーとさせることが可能になり、リアカバー６の取り付けが行われる。
【００２１】
また、ロックレバー２と電子機器の本体１とが合わさる部分には、Ｏリング４が設けられる。このＯリング４は、全体形状がリング状で、円形の断面を有するゴム状弾性体で、シール材として用いられる。ここで使用されるＯリング４は、ロックレバー２の緩みによるガタを防止し、また、ロック部からバッテリー室への水滴等の浸入を防止するためのものである。
【００２２】
図５は、本発明の実施の形態に係るロックレバー取付け構造を示す動作断面図を示している。
ロックレバー２は、電子機器の本体１とリアカバー６との間にあるロックレバー挿入用の穴に、Ｏリング４を挟んで挿入する。そして、ロックレバー２の軸心に対して略直交する方向に設けられた穴に、ストッパ２００のついたイタバネ３００を嵌挿させる。
イタバネ３００の弾性突起部９００は、電子機器の本体１に設けられる切換溝４００に沿うように丸みをおびている。
図５Ｂ１−Ｂ１断面図は、本発明の実施の形態に係るロックレバー取付け構造の断面図である。
イタバネ３００とロックレバー２との間に挟むシール部材のＯリング４により隙間は無くなり、水滴等の浸入を防いでいる。
【００２３】
図５Ｃ詳細図は、本発明の実施の形態に係るイタバネ３００のストッパ部分の詳細図を示している。
【００２４】
図５Ｃ詳細図の（ａ）に示すように、イタバネのストッパ２００は、ロックレバーの穴に挿入され、ロックレバー内を通過中はストッパ２００が閉じる。また、図５Ｃ詳細図の（ｂ）に示すように、ロックレバー内を通過後は、再びロックレバーの穴に戻らないよう、ストッパ２００が開き、掛止されるようになっている。
【００２５】
なお、イタバネ３００のストッパ２００の形状は、弾性部材で球形をしていてもよく、イタバネ３００がロックレバー２から抜けないものであれば何ら限定されるものではない。
【００２６】
なお、本発明の実施の形態における図は、視覚的な面から動作等が理解し易い様に、イタバネの挿入角度等を変えて図示している。
【００２７】
図６は、本発明の実施の形態に係るイタバネの取付けを示す図を示している。
【００２８】
ロックレバー２は、従来のイタバネ７、回り止めリング８、ネジ９、を合わせた機能をもつイタバネ３００により、電子機器に固定される。
【００２９】
図７（ａ）（ｂ）（ｃ）は、本発明の実施の形態に係るリアカバーのロックレバーのロック構造を示す図を示している。図７（ａ）はリアカバーのロックレバーのロック状態、図７（ｂ）は中間状態、図７（ｃ）は、フリー状態を示している。凹型のロックレバー溝を設けた略筒形の金属部材でできたロックレバーを、利用者の手指などで押圧しながら回動操作すると、イタバネ３００も共に回動する。イタバネ３００は、リアカバーのロック状態とフリー状態では切換溝４００と接触する弧に対し外側方向に力がかかり、またリアカバーの中間状態ではロックレバー２の中心方向に力がかかる。ここでイタバネ３００は、切換溝４００に強固に固定されるよう、溝の形状及び深さ寸法が設定されている。
【００３０】
図８ａ、図８ｂは、リアカバー６のロックレバー２のフリー状態及びロック状態の断面図を示している。
【００３１】
図８ａに示したように、ロックレバー２にある凹型のロックレバー溝３がフリー状態のとき、イタバネ３００は切換溝４００に固定され、ロックレバー２の突出部１４はリアカバー６に触れないように維持されている。ロックレバー２を操作する時は、リアカバー６の下部に設けられた固定部１９を電子機器の本体１の固定溝２０に差し込み、リアカバー６を矢印のａ方向に動かし、本体１に装着する。
図８ｂに示したように、ロックレバー２にある凹型のロックレバー溝３がロック状態のときは、イタバネ３００は切換溝４００に固定され、ロックレバー２の突出部１４は、リアカバー６の側壁部の内面に刻設された凹部１３にはめ込まれる。このとき、本体１に設けられ、防水パッキン部１６で囲まれ、棒状の先端部分のみ露出した充電端子ピン１５は、リアカバー６に設けられた充電部２２に接触する。充電端子ピン１５と充電部２２が接触すると、充電された電池パックから電力が、電子機器の本体内に供給される。電力が本体内に供給されることにより、通話可能な状態となる。
【図面の簡単な説明】
【００３２】
【図１】従来のロックレバー取付け構造を示す図である。
【図２】（ａ）（ｂ）リアカバーのロック構造を示す図である。
【図３】電子機器の構造を示す斜視図である。
【図４】ロックレバー取付け構造を示す斜視図である。
【図５】ロックレバー取付け構造を示す動作断面図である。
【図６】イタバネの取付けを示す図である。
【図７】リアカバーのロックレバーのロック構造を示す図である。
【図８ａ】ロックレバーのフリー状態を示す図である。
【図８ｂ】ロックレバーのロック状態を示す図である。
【符号の説明】
【００３３】
１        本体
２        ロックレバー
３        ロックレバー溝
４        Ｏリング
５        ロック部
２００    ストッパ
３００    イタバネ
４００    切換溝
【図１】
2005129770.tif 000003
【図２】
2005129770.tif 000004
【図３】
2005129770.tif 000005
【図４】
2005129770.tif 000006
【図５】
2005129770.tif 000007
【図６】
2005129770.tif 000008
【図７】
2005129770.tif 000009
【図８ａ】
2005129770.tif 000010
【図８ｂ】
2005129770.tif 000011